(57)【要約】【課題】パケット転送システムに関し、上り方向と下り方向のパケット転送のサービス品質を同程度にして、双方向通信に適した通信環境を提供する。【解決手段】呼制御装置２０は、複数のパケット転送装置１０ａ〜１０ｇと通信して端末装置３０ａ〜３０ｄ間の音声通信などの呼を制御する。パケット転送装置１０ａ〜１０ｇに予め設定されるＭＰＬＳのＬＳＰは、端末装置３０ａ〜３０ｄ間で上り方向と下り方向が同じルートを通るように、かつメッシュに設定される。【選択図】      図３
2005012468.tif 000002
【特許請求の範囲】
【請求項１】
複数の端末装置に接続され、端末装置間の双方向のリアルタイム通信の呼の状態を管理する呼制御装置と、
前記複数の端末装置間に介在し、発呼元端末装置からのパケットをマルチプロトコルラベルスイッチング（ＭＰＬＳ：Ｍｕｌｔｉ  Ｐｒｏｔｏｃｏｌ  Ｌａｂｅｌ  Ｓｗｉｔｃｈｉｎｇ）により、かつ優先度を付けて相手先端末装置に転送する複数のパケット転送装置と、
を備えた双方向パケット転送システムであって、
前記双方向のリアルタイム通信における前記端末装置間のパケット転送ルートの上り方向と下り方向を同一ルートとするラベルスイッチパス（ＬＳＰ：Ｌａｂｅｌ  Ｓｗｉｔｃｈ  Ｐａｔｈ）が、予め、各パケット転送装置に設定されることを特徴とする双方向パケット転送システム。
【請求項２】
前記端末装置を収容する前記パケット転送装置は、インターネットプロトコル（ＩＰ：Ｉｎｔｅｒｎｅｔ  Ｐｒｏｔｏｃｏｌ）パケットヘッダのサービス種別に対応した値をＭＰＬＳのシム・ヘッダのＥＸＰビットに設定し、各パケット転送装置は、該ＥＸＰビットの値に基づいてパケットの優先度を決めることを特徴とする請求項１に記載の双方向パケット転送システム。
【請求項３】
前記ＬＳＰを２以上の端末装置で共有することを特徴とする請求項１または２に記載の双方向パケット転送システム。
【請求項４】
複数の端末装置に接続され、端末装置間の双方向のリアルタイム通信の呼の状態を管理する呼制御装置と、前記複数の端末装置間に介在し、発呼元端末装置からのパケットをマルチプロトコルラベルスイッチング（ＭＰＬＳ：Ｍｕｌｔｉ  Ｐｒｏｔｏｃｏｌ  Ｌａｂｅｌ  Ｓｗｉｔｃｈｉｎｇ）により、かつ優先度を付けて相手先端末装置に転送する複数のパケット転送装置と、を備えた双方向パケット転送システムにおけるパケット転送ルート設定方法であって、
前記双方向のリアルタイム通信における前記端末装置間のパケット転送ルートの上り方向と下り方向を同一ルートとするラベルスイッチパス（ＬＳＰ：Ｌａｂｅｌ  Ｓｗｉｔｃｈ  Ｐａｔｈ）を、予め、各パケット転送装置に設定することを特徴とするパケット転送ルート設定方法。
【発明の詳細な説明】
【０００１】
【発明の属する技術分野】
本発明は、パケット転送システム及びパケット転送ルート設定方法に関し、特に、パケット転送のサービス品質の制御を行いながら双方向通信を行う双方向パケット転送システムと、パケット転送において特定のサービス品質に制御できるパケット転送ルート設定方法に関する。
【０００２】
【従来の技術】
従来のパケット転送システムにおいては、パケット転送のサービス品質を確保するため、パケットに優先度を付け、その優先度に従ってパケットの優先制御が行なわれ、優先度毎のサービス品質の確保が図られている（例えば、特許文献１参照）。
【０００３】
【特許文献１】
特開２００２−１７６４３５号公報
【０００４】
【発明が解決しようとする課題】
しかしながら、このような従来のパケット転送システムにおいて双方向通信を行う場合、上り方向と下り方向のパケット転送ルートが独立に設定されるため、上り方向と下り方向のパケット転送ルートが同じルートに設定されることは保証されず、上り方向と下り方向のパケット転送の絶対遅延や廃棄率などのサービス品質が同じ優先度でも大きく異なることもあり、双方向通信を行うには不都合が多かった。
【０００５】
そこで、本発明は、双方向通信の上り方向と下り方向のパケット転送ルートを同一ルートにすることにより、上り方向と下り方向のパケット転送のサービス品質を同程度にして、双方向通信に適した通信環境を提供することを目的とする。
【０００６】
【課題を解決するための手段】
上記目的を達成するため、請求項１に記載の双方向パケット転送システムは、複数の端末装置に接続され、端末装置間の双方向のリアルタイム通信の呼の状態を管理する呼制御装置と、前記複数の端末装置間に介在し、発呼元端末装置からのパケットをマルチプロトコルラベルスイッチング（ＭＰＬＳ：Ｍｕｌｔｉ  Ｐｒｏｔｏｃｏｌ  Ｌａｂｅｌ  Ｓｗｉｔｃｈｉｎｇ）により、かつ優先度を付けて相手先端末装置に転送する複数のパケット転送装置と、を備えた双方向パケット転送システムであって、前記双方向のリアルタイム通信における前記端末装置間のパケット転送ルートの上り方向と下り方向を同一ルートとするラベルスイッチパス（ＬＳＰ：Ｌａｂｅｌ  Ｓｗｉｔｃｈ  Ｐａｔｈ）が、予め、各パケット転送装置に設定されることを要旨とする。
【０００７】
この発明では、予め端末装置間のパケット転送ルートの上り方向と下り方向が同一ルートに設定される。
【０００８】
また、請求項２に記載の双方向パケット転送システムは、請求項１に記載の双方向パケット転送システムであって、前記端末装置を収容する前記パケット転送装置は、インターネットプロトコル（ＩＰ：Ｉｎｔｅｒｎｅｔ  Ｐｒｏｔｏｃｏｌ）パケットヘッダのサービス種別に対応した値をＭＰＬＳのシム・ヘッダのＥＸＰビットに設定し、各パケット転送装置は、該ＥＸＰビットの値に基づいてパケットの優先度を決めることを要旨とする。
【０００９】
この発明では、ＩＰパケットヘッダのサービス種別の内容がシム・ヘッダのＥＸＰビットに反映され、このＥＸＰビットによりパケットが優先度を付けられて転送される。
【００１０】
また、請求項３に記載の双方向パケット転送システムは、請求項１または２に記載の双方向パケット転送システムであって、前記ＬＳＰを２以上の端末装置で共有することを要旨とする。
【００１１】
この発明では、同一ルートのＬＳＰがまとめられ、複数の端末で共有される。
【００１２】
また、上記目的を達成するため、請求項４に記載のパケット転送ルート設定方法は、複数の端末装置に接続され、端末装置間の双方向のリアルタイム通信の呼の状態を管理する呼制御装置と、前記複数の端末装置間に介在し、発呼元端末装置からのパケットをマルチプロトコルラベルスイッチング（ＭＰＬＳ：Ｍｕｌｔｉ  Ｐｒｏｔｏｃｏｌ  Ｌａｂｅｌ  Ｓｗｉｔｃｈｉｎｇ）により、かつ優先度を付けて相手先端末装置に転送する複数のパケット転送装置と、を備えた双方向パケット転送システムにおけるパケット転送ルート設定方法であって、前記双方向のリアルタイム通信における前記端末装置間のパケット転送ルートの上り方向と下り方向を同一ルートとするラベルスイッチパス（ＬＳＰ：Ｌａｂｅｌ  Ｓｗｉｔｃｈ  Ｐａｔｈ）を、予め、各パケット転送装置に設定することを要旨とする。
【００１３】
この発明では、予め端末装置間のパケット転送ルートの上り方向と下り方向が同一ルートに設定される。
【００１４】
【発明の実施の形態】
以下、本発明のパケット転送システム及びパケット転送ルート設定方法における実施の形態を図面を参照して詳細に説明する。
【００１５】
図１は、本発明の一実施形態であるパケット転送システムの構成を示す図である。
本実施形態のパケット転送システム１は、ＩＰ（Ｉｎｔｅｒｎｅｔ  Ｐｒｏｔｏｃｏｌ）パケットの転送を行うもので、特に音声通信のような双方向のリアルタイム通信をＩＰパケットにより行うようになっており、端末装置からの要求により他の端末装置とのリアルタイム通信の呼を確立し、端末装置間でのパケットの転送の制御を行う。
【００１６】
図１において、本実施形態のパケット転送システム１は、パケットの転送を行う複数のパケット転送装置１０ａ〜１０ｇと、これら複数のパケット転送装置１０ａ〜１０ｇと通信して端末装置３０ａ〜３０ｄ間の音声通信などの呼を制御する呼制御装置２０とを備えている。
【００１７】
パケット転送装置１０ａ〜１０ｇのうち、端末装置３０ａ〜３０ｄが接続されているパケット転送装置１０ａ〜１０ｄは、特にエッジパケット転送装置と呼ばれている。
【００１８】
このパケット転送システム１によるパケット転送は、ＭＰＬＳ（Ｍｕｌｔｉ  Ｐｒｏｔｏｃｏｌ  Ｌａｂｅｌ  Ｓｗｉｔｃｈｉｎｇ）により行われ、エッジパケット転送装置１０ａ〜１０ｄが端末装置から受信したパケットの宛先アドレスに対応したラベルを選択し、選択したラベルを設定したシム・ヘッダをパケットのヘッダに付加して次のパケット転送装置に転送し、それ以降のパケット転送装置では、入力パケットのラベルから出力パケットのラベルが選択され、入力パケットのラベルが選択したラベルに書き替えられて転送され、宛先のエッパケット転送装置でシム・ヘッダが削除されて宛先の端末装置に出力されるようになっている。
【００１９】
このため、このパケット転送システムのパケット転送ルートはエッジパケット転送装置を含む各パケット転送装置に記憶されている入力ラベルから出力ラベル（エッジパケット転送装置では、宛先アドレスから出力ラベル）への対応表により決まることになり、このラベルを使って設定されるパケット転送ルート（仮想的な回線）をＬＳＰ（Ｌａｂｅｌ  Ｓｗｉｔｃｈ  Ｐａｔｈ）という。
【００２０】
本実施形態におけるパケット転送装置１０ａ〜１０ｇでは、各端末装置間で上り方向と下り方向が同じルートを通るように、かつメッシュ（各端末装置間が全て接続される）にＬＳＰが設定される。
【００２１】
なお、このようなＬＳＰにおいては、各端末装置間ごとにパケット転送ルートの異なるＬＳＰを設定してもよいが、同じエッジパケット転送装置に収容されている複数の端末装置は１つのＬＳＰを共有してもかまわない。このようにすれば、最低で各エッジパケット装置間をメッシュで接続するＬＳＰを１つずつ設定すればよいことになる。
【００２２】
また、エッジパケット転送装置１０ａ〜１０ｄは、受信したＩＰパケットのヘッダのサービス情報に基づいて、パケットヘッダに付加するシム・ヘッダのＥＸＰビットに値を設定し、以降のパケット転送装置は、設定されたＥＸＰビットによりサービス品質（ＱｏＳ：Ｑｕａｌｉｔｙ  ｏｆ  Ｓｅｒｖｉｃｅ）の制御を行うようになっている。
【００２３】
このようなパケット転送システム１において、例えば端末装置３０ａがリアルタイム通信の呼の設定を行う場合、まず通信したい相手先や通信のサービス情報などの情報を含んだ呼設定要求を呼制御装置２０に送信する。
【００２４】
呼制御装置２０は、端末装置３０ａからの呼設定要求を受信すると、相手先の情報から相手先端末装置３０ｂが通信可能かを、発呼元端末装置３０ａの情報や通信のサービス情報などを含んだ呼設定要求を相手先端末装置３０ｂに送信して問い合わせる。
【００２５】
相手先端末装置３０ｂは、呼制御装置２０から呼設定要求を受信すると、発呼元端末装置３０ａの情報や通信のサービス情報などを判定し、通信可能であると判断すると、通信可であることを呼制御装置２０に返信し、端末装置３０ａへのリアルタイム通信を開始する。
【００２６】
呼制御装置２０は、相手先端末装置３０ｂから通信可である通知を受けると、呼が設定されたものとして、設定された呼に識別番号などの識別情報を付与し、発呼元端末装置３０ａと相手先端末装置３０ｂの情報や通信のサービス情報などを識別情報に関連付けて記憶し、発呼元端末装置３０ａに通信可能であることを通知する。
【００２７】
端末装置３０ａは、通信可能であることが通知されると、端末装置３０ｂへのリアルタイム通信を開始する。
【００２８】
呼設定後のパケットの転送時には、エッジパケット転送装置１０ａ〜１０ｄは、受信したパケットのヘッダに設定されたサービス種別（Ｔｙｐｅ  Ｏｆ  Ｓｅｒｖｉｃｅ）に基づいて、パケットに付加するシム・ヘッダのＥＸＰビットに値を設定し、パケット転送装置１０ａ〜１０ｇは、このＥＸＰビットの値により、例えばＤｉｆｆＳｅｒｖｅ（Ｄｉｆｆｅｒｅｎｔｉａｔｅｄ  Ｓｅｒｖｉｃｅｓ）などのように優先順位を付けてパケットを転送するようになっている。
【００２９】
図２は、パケット転送の優先順位のレベルの例を示す図である。図２に示すように、例えば、優先順位の高い順にＨ，Ｍ，Ｌにレベル分けをし、受信したパケットをＥＸＰビットに基づきいずれかのレベルに振り分け、各レベルの優先度に対応した優先順位でレベルごとにパケットを転送するようになっている。
【００３０】
ここで、端末装置３０ａ，３０ｂを収容するエッジパケット転送装置１０ａ，１０ｂ間のパケット転送ルートは、予め設定されたラベルの対応表により、図３に示すように設定されている。すなわち、エッジパケット転送装置１０ａからエッジパケット転送装置１０ｂへの方向（図中、破線矢印Ａ）は、エッジパケット転送装置１０ａ、パケット転送装置１０ｅ、パケット転送装置１０ｆ、エッジパケット転送装置１０ｂと経由し、エッジパケット転送装置１０ｂからエッジパケット転送装置１０ａへの方向（図中、破線矢印Ｂ）は、エッジパケット転送装置１０ｂ、パケット転送装置１０ｆ、パケット転送装置１０ｅ、エッジパケット転送装置１０ａと経由するように設定されている。
【００３１】
すなわち、エッジパケット転送装置１０ａからエッジパケット転送装置１０ｂへの方向も、エッジパケット転送装置１０ｂからエッジパケット転送装置１０ａへの方向も、同じパケット転送装置を経由してパケットが転送される。
【００３２】
故に、発呼元端末装置と相手先端末装置が特定されると、上り方向と下り方向で同じルートが設定され、それにより上り方向の転送処理と下り方向の転送処理とで同一サービス品質が期待できる。従って、両方向での絶対遅延や廃棄率も同程度となる。
【００３３】
このように本実施形態においては、双方向のリアルタイム通信のパケット転送において、上り方向と下り方向で同じパケット転送装置を経由するようにルートを設定したので、上り方向と下り方向で同程度の絶対遅延や廃棄率の双方向通信を提供することができる。
【００３４】
また、同じルートのＬＳＰを１つにまとめ、複数の端末装置間で共有するようにすれば、メモリの使用量を削減でき、また転送効率を上げることができる。
【００３５】
【発明の効果】
本発明によれば、双方向のリアルタイム通信のパケット転送ルートを上り方向と下り方向で同一ルートとしているので、上り方向と下り方向の絶対遅延や廃棄率などのサービス品質を同程度とすることができ、双方向通信に適した通信環境を提供することができる。
【００３６】
また、ＩＰパケットヘッダのサービス種別をシム・ヘッダのＥＸＰビットに対応させ、このＥＸＰビットでパケットの優先度を決めるようにすれば、パケットごとに優先度を変えることができ、ＬＳＰ内で異なる優先度のパケットを転送することができる。
【００３７】
また、ＬＳＰを複数の端末装置間で共有するようにすれば、同一ルートのＬＳＰを１つのＬＳＰにまとめることができ、メモリ効率や処理効率を向上させることができる。
【図面の簡単な説明】
【図１】本発明の一実施形態であるパケット転送システムの構成を示す図である。
【図２】パケット転送の優先順位のレベルの例を示す図である。
【図３】本発明に基づくパケット転送ルートの例を示す図である。
【符号の説明】
１０ａ〜１０ｇ    パケット転送装置
２０    呼制御装置
３０ａ〜３０ｄ    端末装置
【図１】
2005012468.tif 000003
【図２】
2005012468.tif 000004
【図３】
2005012468.tif 000005